(57)【要約】  第１記録情報（６０−１等）が再生動作に伴って再生不可能にならないように記録されている再生専用領域（１６０）と、第２記録情報（５０−１等）が所定回数の再生動作に伴って再生不可能となるように記録されている再生回数制限領域（１５０）とを有する情報記録媒体であって、第２記録情報（５０−１等）が第１記録情報（６０−１等）に関連付けられている。【特許請求の範囲】
【請求項１】
第１記録情報が再生動作に伴って再生不可能にならないように記録されている再生専用領域と、第２記録情報が所定回数の再生動作に伴って再生不可能となるように記録されている再生回数制限領域とを有する情報記録媒体であって、
前記第２記録情報が前記第１記録情報に関連付けられていることを特徴とする情報記録媒体。
【請求項２】
前記再生回数制限領域を複数だけ備えており、該複数の再生回数制限領域の間には前記再生専用領域が配置されていることを特徴とする請求の範囲第１項に記載の情報記録媒体。
【請求項３】
前記第２記録情報と前記第１記録情報との関連付けを示す情報が、前記再生専用領域に記録されていることを特徴とする請求の範囲第１項に記載の情報記録媒体。
【請求項４】
前記第２記録情報は、前記第１記録情報の再生後に再生されるコンテンツ情報を含むことを特徴とする請求の範囲第１項に記載の情報記録媒体。
【請求項５】
請求の範囲第1項に記載の情報記録媒体に記録された前記第１及び第２記録情報を再生するための情報再生装置であって、
前記第１及び第２記録情報を再生するための再生手段と、
前記第１記録情報の再生後に、該第１記録情報に対応した前記第２記録情報を再生するように前記再生手段を制御する制御手段と、
前記再生回数制限領域に記録されていた前記第２記録情報の存在の有無を検知し、前記第２記録情報に対応した前記第１記録情報の再生が完了しているか否かを判定する判定手段と
を備えたことを特徴とする情報再生装置。
【請求項６】
前記判定手段は、再生用レーザ光が前記再生回数制限領域における記録トラックを横切る方向に移動するよう前記再生手段を制御し、前記再生用レーザ光の移動する時間内において、前記再生手段から得られる再生信号に基づいて、前記第２記録情報の存在の有無を検知することを特徴とする請求の範囲第５項に記載の情報再生装置。
【請求項７】
前記判定手段は、前記再生手段が移動する際に横切る前記記録トラックの個数に基づいて、前記第２記録情報の存在の有無を検知することを特徴とする請求の範囲第６項に記載の情報再生装置。
【請求項８】
前記判定手段は、前記第２記録情報を所定の順番に再生するよう前記再生手段を制御し、前記再生手段から得られる再生信号に基づいて、前記第２記録情報の存在の有無を検知することを特徴とする請求の範囲第５項に記載の情報再生装置。
【請求項９】
前記所定の順番は大きいアドレスから小さいアドレスへ向かう降順であることを特徴とする請求の範囲第８項に記載の情報再生装置。
【請求項１０】
前記判定手段は、前記再生が完了しているか否かを判定する場合に、前記第１記録情報の論理的な再生を行う順番で、前記第２記録情報の存在の有無を検知することを特徴とする請求の範囲第５項に記載の情報再生装置。
【請求項１１】
請求の範囲第1項に記載の情報記録媒体に記録された前記第１及び第２記録情報を再生するための再生手段を備えた情報再生装置における情報再生方法であって、
前記第１記録情報の再生後に、該第１記録情報に対応した前記第２記録情報を再生するように前記再生手段を制御する制御工程と、
前記再生回数制限領域に記録されていた前記第２記録情報の存在の有無を検知し、前記第２記録情報に対応した前記第１記録情報の再生が完了しているか否かを判定する判定工程と
を備えたことを特徴とする情報再生方法。
【発明の詳細な説明】
【技術分野】
【０００１】
本発明は、例えばレーザ光を照射することによって記録及び再生可能な光ディスク等の情報記録媒体と、このような情報記録媒体を再生するための情報再生装置及び方法との技術分野に関する。
【背景技術】
【０００２】
この種の情報記録媒体では、レーザ光を照射することによって再生中に情報が誤消去されてしまわないように、情報を再生することが可能なレーザ光のパワー（即ち、エネルギ或いは光強度）の範囲（本願では適宜「再生パワー範囲」と称する）が、記録された情報を消去することが可能なレーザ光のパワーの範囲（本願では適宜「消去パワー範囲」と称する）よりも、低く設定されている。また、情報を記録することが可能なレーザ光のパワーの範囲（本願では適宜「記録パワー範囲」と称する）は、消去パワー範囲よりも高く設定されている。そして、これらの再生パワー範囲、消去パワー範囲及び記録パワー範囲は、記録層に固有であり、一般には、記録層の材料及び膜厚によって、このような設定が得られる。そして、このような記録層に対応して、情報記録再生装置では、再生用レーザに比べて、記録用レーザを遥かに高パワーで照射するように構成されている。【０００３】
他方で、情報の再生回数を制限する目的で、複数回の再生用レーザの照射によって、上述の如き特性を有する記録層を劣化させることで、情報を消去する技術も提案されている。例えば、特許文献１には、情報記録再生装置の再生用レーザのパワーを、情報記録媒体上の情報データが消去されるパワーの近傍にまで高めて、制御された一定の回数、再生用レーザを照射することで、記録された情報を消去する技術が開示されている。【０００４】
また、例えばＣＤ−Ｒ、ＤＶＤ−Ｒ等の記録可能型の光ディスクと同様の記録可能な記録領域と、例えばＣＤ−ＲＯＭ、ＤＶＤ−ＲＯＭ等の再生専用型の光ディスクと同様の再生専用の記録領域とを、一枚の光ディスクの外周寄り領域及び内周寄り領域に分けて併せ持つ、ハイブリッド型光ディスクも提案されている。【０００５】
【特許文献１】特開２００１−３３１９４２号公報
【特許文献２】特開２００１−６７７３１号公報
【発明の開示】
【発明が解決しようとする課題】
【０００６】
しかしながら、特許文献１は記録パワーに再生パワーを近づけただけで、実際は記録できないパワーでの再生は可能となり、消去回避手段が存在する。また、前述したハイブリッド型光ディスクによれば、再生回数を制限する技術との組合せは、同様の理由により回避手段が存在する。【０００７】
一方、仮に再生パワーで消去できるハイブリッドディスクが存在したとしても、なお技術的に困難である。何故ならば、前述したハイブリッド型光ディスクと再生回数を制限する技術を組合せると、再生回数が制限されている記録情報については、どの記録情報の再生が完了しているかは、再生できない事実によって判明するものの、実際には、下記のようにどの記録情報の再生が完了していないかを知り得る方法がないという技術的な問題点がある。【０００８】
仮に、どの記録情報の再生が完了していないかを、実際にレーザ光を照射することで知ろうとすれば、当該知るためにレーザ光を照射すること自体によって記録情報が消去されてしまうのである。逆に、再生回数が制限されていない記録情報については、再生されても何らの変化は起こらないため、どの記録情報の再生が完了しているかを当該記録情報における記録状態から検出する方法がないという技術的な問題点がある。【０００９】
そこで本発明は、例えば上記問題点に鑑みなされたものであり、再生回数に制限をかけることが可能であり、記録情報における再生が完了しているか否かを比較的容易に検出することを可能ならしめる情報記録媒体、並びに該情報記録媒体を再生する情報再生装置及び方法を提供することを課題とする。
【課題を解決するための手段】
【００１０】
本発明の請求の範囲第１項に記載の情報記録媒体は上記課題を解決するために、第１記録情報が再生動作に伴って再生不可能にならないように記録されている再生専用領域と、第２記録情報が所定回数の再生動作に伴って再生不可能となるように記録されている再生回数制限領域とを有する情報記録媒体であって、前記第２記録情報が前記第１記録情報に関連付けられている。【００１１】
本発明の請求の範囲第５項に記載の情報再生装置は上記課題を解決するために、請求の範囲第1項に記載の情報記録媒体に記録された前記第１及び第２記録情報を再生するための情報再生装置であって、前記第１及び第２記録情報を再生するための再生手段と、前記第１記録情報の再生後に、該第１記録情報に対応した前記第２記録情報を再生するように前記再生手段を制御する制御手段と、前記再生回数制限領域に記録されていた前記第２記録情報の存在の有無を検知し、前記第２記録情報に対応した前記第１記録情報の再生が完了しているか否かを判定する判定手段とを備える。【００１２】
本発明の請求の範囲第１１項に記載の情報再生方法は上記課題を解決するために、請求の範囲第1項に記載の情報記録媒体に記録された前記第１及び第２記録情報を再生するための再生手段を備えた情報再生装置における情報再生方法であって、前記第１記録情報の再生後に、該第１記録情報に対応した前記第２記録情報を再生するように前記再生手段を制御する制御工程と、前記再生回数制限領域に記録されていた前記第２記録情報の存在の有無を検知し、前記第２記録情報に対応した前記第１記録情報の再生が完了しているか否かを判定する判定工程とを備える。【００１３】
本発明の作用及び利得は次に説明する実施の形態から明らかにされる。
【図面の簡単な説明】
【００１４】
【図１】本発明の情報記録媒体の実施例に係る光ディスクの基本構造を示し、上側部分は複数の記録領域を有する光ディスクの概略平面図であり、これに対応付けられる下側部分は、その径方向における記録領域構造の図式的概念図である。
【図２】本発明の実施例に係る光ディスクの再生回数制限領域における記録層の再生パワー範囲、消去パワー範囲及び記録パワー範囲の一具体例を示したグラフ図である。
【図３】本発明の実施例に係る光ディスクの一部を、光ディスクの記録面側から見た図式的拡大斜視図である。
【図４】本発明の実施例に係る光ディスクの記録領域の構造、再生専用領域及び再生回数制限領域を示した図式的構造図である。
【図５】本発明の実施例に係る光ディスクの記録面においてトラックカウントの方向を示した外観斜視図である。
【図６】本発明の他の実施例にかかる再生回数制限領域に記録された第２記録情報の状態を示す概念図である。
【図７】本発明の実施例に係る光ディスクの情報再生装置の全体構成を示すブロック図である。
【図８】本発明の実施例に係る情報再生装置による光ディスクの再生動作を示したフローチャート図である。
【符号の説明】
【００１５】
１…センターホール、１０…トラック、１１…ＥＣＣブロック、２０…記録マーク、３０…記録層、３１…反射層、３２…基板、３３…保護層、１００…光ディスク、１０１…リードインエリア、１０２…データゾーン、１０２Ａ…ファイル管理情報記録エリア、１０３…リードアウトエリア、５０−１から５０−Ｎ…第１バンドから第Ｎバンド、６０−１から６０−Ｎ…第１データから第Ｎデータ、１５０…再生回数制限領域、１５０−１から１５０−Ｎ…第１バンドゾーンから第Ｎバンドゾーン、１６０…再生専用領域、１６０−１から１６０−Ｎ…第１データゾーンから第Ｎデータゾーン、２００…情報再生装置、２０２…光ピックアップ、２０３…スピンドルモータ、２０４…ヘッドアンプ、２１０…総和生成回路、２１１…ピットデータ復調回路、２１２…ピットデータ訂正回路、２１３…バッファ、２１４…インターフェース、２２０…プッシュプル信号生成回路、２２１…ローパスフィルタ、２２２…サーボユニット、３００…ＣＰＵ、Ｇ…グルーブトラック、Ｌ…ランドトラック、ＥＡ…リーダブルエンボスエリア、ＥＰ…エンボスピット、ＥＳ…エンボススペース
【発明を実施するための最良の形態】
【００１６】
（情報記録媒体に係る実施形態）
以下、本発明の実施形態に係る情報記録媒体について説明する。【００１７】
本発明の情報記録媒体に係る実施形態は、第１記録情報が再生動作に伴って再生不可能にならないように記録されている再生専用領域と、第２記録情報が所定回数の再生動作に伴って再生不可能となるように記録されている再生回数制限領域とを有する情報記録媒体であって、前記第２記録情報が前記第１記録情報に関連付けられている。【００１８】
本発明の情報記録媒体に係る実施形態によれば、例えば光ディスクプレーヤ等の情報再生装置によって、再生回数制限領域に記録された第２記録情報を、１回又は複数回である所定回数だけ再生できる。これと相前後して又は並行して、再生専用領域に記録された第１記録情報についても再生できる。その後、所定回数だけ再生した後には、当該所定回数の再生動作に伴って第２記録情報が例えば消去されるなどして、第２記録情報はもはや再生不可能となる。【００１９】
他方、第１記録情報は、再生可能なままとされてもよい。又は、第２記録情報を、第１記録情報を再生するために必要な情報としておくことで、第１記録情報についても再生不可能とされてもよい。このように第２記録情報や、第１及び第２記録情報の再生回数に対して比較的容易に制限をかけられる。更に、第１記録情報を再生するために第２記録情報が必要であるようにこれらの第１及び第２記録情報を記録しておけば、第２記録情報を所定回数だけ再生して第１記録情報についても再生不可能となった後に、第２記録情報だけを再び記録すれば、第１記録情報についてはそのまま維持されているので、結局第１及び第２記録情報を再生可能な状態を復元できる。このように当該情報記録媒体を再利用できる。尚、再生回数制限領域では、第２記録情報は、所定回数として１回だけ再生可能であるように構成してもよい。或いは、所定回数として２回、３回、４回等の複数回だけ再生可能であるように構成してもよい。また、例えば１回のみ、２回のみなど厳密に再生回数制限をかけてもよいし、例えば５回程度、１０回程度など、ある程度の回数範囲を持って再生回数制限をかけてもよい。加えて、第１記録情報として映画等の情報データ量の大きいコンテンツをスタンパによって、一挙に再生専用領域に記録できるので、情報記録媒体１枚当りの作成時間を短縮させ、生産性を向上させることも可能である。【００２０】
本実施形態では、特に、第２記録情報は、第１記録情報に関連付けられている。例えば、複数の第２記録情報は夫々、複数の第１記録情報のうち対応する一つに対して関連付けられている。【００２１】
このような関連付けとしては、論理的な関連付けでもよいし、物理的な関連付けであってもよい。ここに、「論理的な関連付け」とは、再生及び記録に際して、第１記録情報が記録された再生専用領域と、この第１記録情報に対応する第２記録情報が記録された再生回数制限領域とを、両方の領域に割り付けられた論理的なアドレスに基づいて関連付けることである。具体的には、例えば、複数の第１記録情報の識別番号と、複数の再生専用領域のアドレスとが登録されたテーブル等が、管理情報等に登録されている。他方、複数の第２記録情報の識別番号と、複数の再生回数制限領域のアドレスとが登録されたテーブル等が、同じ管理情報等に登録されている。よって、例えば、複数の第２記録情報は夫々、複数の第１記録情報のうち対応する一つに対して論理的に関連付けることが可能となる。或いは、複数の再生専用領域の識別番号と、それらの各アドレスとが登録されたテーブル等が、管理情報等に登録されている。他方、複数の再生回数制限領域の識別番号と、それらの各アドレスとが登録されたテーブル等が、管理情報等に登録されている。よって、第２記録情報が記録された複数の再生回数制限領域は夫々、第１記録情報が記録された複数の再生専用領域のうち対応する一つに対して論理的に関連付けることが可能となる。他方、「物理的な関連付け」とは、再生及び記録に際して、第１記録情報が記録された再生専用領域と、この第１記録情報に対応する第２記録情報が記録された再生回数制限領域とを、記録領域の物理的な構造に基づいて関連付けることである。具体的には、Ｎ番目の再生専用領域の開始部の前又は終端部の後がＮ番目の再生回数制限領域とされており、Ｎ＋１番目の再生専用領域の開始部の前又は終端部の後がＮ＋１番目の再生回数制限領域とされているという具合に、一定規約に従って、再生回数制限領域を特定すれば、これに物理的に対応する再生専用領域が特定可能できることになる。よって、例えば、複数の第２記録情報は夫々、複数の第１記録情報のうち対応する一つに対して物理的に関連付けられている。【００２２】
上述した論理的又は物理的な関連付けのいずれの場合にせよ、第２記録情報が、第１記録情報に関連付けられているかは、例えば管理情報内や情報記録装置のメモリ内に登録されており、第１記録情報の再生時には、既知とされる。【００２３】
更に本実施形態では、第２記録情報は、非連続的な再生動作によって再生且つ消去可能である最小情報単位を複数含むように構成してもよい。ここに、「最小情報単位」とは、再生且つ消去可能である第２記録情報の最小な大きさの構成単位である。より具体的には、再生の進行状況を判定する都度に、各第２記録情報の少量だけ、即ち最低限で最小情報単位だけ、再生すれば、当該判定が可能とされる。従って判定後、各第２記録情報には、一つ以上の最小情報単位が残る。そこで、例えばゲーム内容など、各第１記録情報の内容等に応じて、当該情報記録媒体が何度のローディングによって再生が完了するかは予測が付くので、係るローディングされる回数を十分に上回る数量の最小情報単位分だけ各第２記録情報を記録しておけば、通常想定される使用方法の範囲内では当該情報記録媒体の寿命の限り、各第２記録情報が消去され尽くしてしまうことは無くなる。即ち、実践的には各第２記録情報を利用することで最後まで再生の進行状況の判定を行うことが可能となる。尚、異常な使用方法によって、第２記録情報を全て再生してしまうと、当該情報記録媒体は再生完了したものと判定されるが、特に支障はない。【００２４】
以上のように構成されているため当該情報記録媒体の再生時には、第１記録情報の再生が完了すると、この第１記録情報に関連付けられている第２記録情報は、例えば、連続的な再生動作に伴って再生不可能となる、即ち、再生されると同時に消去される。例えば、家庭向けパソコン用のゲームの第１ステージのコンテンツデータである一番目の第１記録情報の再生が完了した場合には、一番目の第１記録情報に論理的又は物理的に関連付けられた、再生回数制限領域に記録された一番目の第２記録情報が、例えば、連続的な再生動作に伴って再生不可能とされる。【００２５】
ここで特に第２記録情報は、非連続的な再生動作によって再生且つ消去可能である最小情報単位を複数含むので、連続再生時又は次回のディスク挿入時には、例えば、トラックジャンプ又はスキャン等による非連続的な再生動作によって再生回数制限領域に記録された、例えば、一番目の第２記録情報の少量だけ、即ち、最小情報単位が再生不可能であることによって、一番目の第２記録情報が存在しないことが検知される。このことによって、再生専用領域に記録された、例えば、第１ステージのコンテンツデータである一番目の第１記録情報の再生が完了しているものとの判定が可能となる。【００２６】
更に、例えば、トラックジャンプ等による非連続的な再生動作によって二番目の第２記録情報の最小情報単位が再生されることによって、再生回数制限領域に記録された例えば、二番目の第２記録情報が存在することが検知される。このことによって、再生専用領域に記録された、例えば、第２ステージのコンテンツデータである二番目の第１記録情報の再生が未完了であるとの判定が可能となる。【００２７】
そこで、この第２ステージのコンテンツデータである二番目の第１記録情報の再生から開始すればよいことが分かる。以下同様に、例えば、第ＮステージのコンテンツデータであるＮ番目の第１記録情報まで再生処理が可能とされる。【００２８】
以上のように、当該情報記録媒体の再生時において検出される各第２記録情報の存在の有無は、各第２記録情報に関連付けられた各第１記録情報の再生が完了したか否かを示す２値化されたフラグとしての役割を果たす。よって、再生回数に制限をかけつつ、第１記録情報における再生が完了しているか否かを、情報再生装置において比較的容易に検出或いは判定することが可能となる。従って、例えば、利用者が、どのレベル、又は、どのステージまでのコンテンツデータの再生が完了したかを確実に或いは簡単に判定することが可能である。【００２９】
また、本実施形態では、例えば、一番目からＮ番目の第１記録情報が記録された再生専用領域並びに一番目からＮ番目の第２記録情報が記録された再生回数制限領域は、基本的には、一番目からＮ番目の第１記録情報の再生の順番に従って、例えば、光ピックアップ等の動作における時間的空間的局所性に基づいて内周側から外周側へと交互に配置されてもよい。従って、未完了である可能性が、当該情報記録媒体の再生完了の最後まで高いＮ番目の第１及び第２記録情報やこれらに近いデータほど、ステージが完了しているか否かのトラックジャンプ又はスキャンによる再生用レーザ光の照射の機会は少なくなる。このため、未完了である可能性が最後まで高いＮ番目の第１及び第２記録情報やこれらに近いデータに対して、不必要に再生用レーザ光を照射することで、当該情報記録媒体の再生完了前に、Ｎ番目の第１及び第２記録情報やこれらに近いデータがフラグとして利用し尽くされる事態を未然防止できる。但し、一番目の第１記録情報からＮ番目の第１記録情報の用途や目的に応じて任意に配置することができる。【００３０】
加えて本実施形態によれば、相対的に大量の第１記録情報についてはそのまま維持されているので、一旦再生の完了を判定し、再生が不可能とされた後に相対的に少量の第２記録情報を再び記録するだけで、再び通常の光ディスクプレーヤや光ディスクレコーダなどによって、情報記録媒体に記録されたコンテンツデータ等の第１記録情報を正常に階層レベルごとに再生することが可能となり、非常に効率良く当該情報記録媒体の全体について再利用可能となる。【００３１】
本発明の情報記録媒体に係る実施形態の一態様では、前記再生回数制限領域を複数だけ備えており、該複数の再生回数制限領域の間には前記再生専用領域が配置されている。【００３２】
この態様によれば、第２記録情報は、例えば、再生専用領域によって相互に分断されている複数の再生回数制限領域の少なくとも一つに記録されている。よって、再生専用領域に記録されている第１記録情報の論理的な再生の順番に従って、複数の再生回数制限領域の少なくとも一つに記録されている第２記録情報を再生且つ消去可能である。【００３３】
以上より、再生専用領域に記録された第１記録情報における再生が完了しているか否かを比較的容易に知らしめることが可能となる。【００３４】
本発明の情報記録媒体に係る実施形態の他の態様では、前記第２記録情報と前記第１記録情報との関連付けを示す情報が、前記再生専用領域に記録されている。【００３５】
この態様によれば、第１記録情報と第２記録情報との関連付けを示す、例えば、ポインタ等の情報が第１記録情報の少なくとも一部として再生専用領域に記録されている。よって、例えば情報再生装置によって、第１記録情報が再生されると同時に又は相前後して、対応した第２記録情報のアドレス等が既知とされる。【００３６】
以上より、関連付けを示す情報が管理情報等にまとめて記録されている場合と比較して、当該情報記録媒体の再生時には、より簡単且つ高速に第１記録情報と第２記録情報とを関連付けることが可能である。【００３７】
本発明の情報記録媒体に係る実施形態の他の態様では、前記第２記録情報は、前記第１記録情報の再生後に再生されるコンテンツ情報を含む。【００３８】
この態様によれば、第２記録情報は、該第２記録情報が存在することを示すための、例えば、“Ｎｕｌｌ”又は“０”等のダミーの情報の代わりに、例えば、画像及び音楽のうち少なくとも一方を示すコンテンツ情報を含んでいる。よって、このコンテンツ情報が例えば、第１記録情報等に記録されている場合と比較して、第２記録情報が再生されると同時に消去されることが可能となるので、時間と記録領域の節約が可能となる。【００３９】
（情報再生装置に係る実施形態）
以下、本発明の実施形態に係る情報再生装置について説明する。【００４０】
本発明の情報再生装置に係る実施形態は、上述した本発明の情報記録媒体に係る実施形態（但し、その各種態様を含む）に記録された前記第１及び第２記録情報を再生するための情報再生装置であって、前記第１及び第２記録情報を再生するための再生手段と、前記第１記録情報の再生後に、該第１記録情報に対応した前記第２記録情報を再生するように前記再生手段を制御する制御手段と、前記再生回数制限領域に記録されていた前記第２記録情報の存在の有無を検知し、前記第２記録情報に対応した前記第１記録情報の再生が完了しているか否かを判定する判定手段とを備える。【００４１】
本発明の情報再生装置に係る実施形態によれば、その動作時には、例えばプロセッサ、復調器、光ピックアップ等により構成される再生手段により、実際の再生動作に先立って管理情報が、例えば、情報記録媒体の管理情報記録領域から読み出される。そして好ましくは、読み出された管理情報は、例えばプロセッサ、メモリ等により記憶されてもよい。【００４２】
次に、再生手段によって、第１記録情報、例えば、複数の第１記録情報のうち一つ、より具体的には、家庭向けパソコン用のゲームの第１ステージのコンテンツデータである一番目の第１記録情報の再生が実行される。【００４３】
続いて、再生手段によって一番目の第１記録情報の再生が完了した場合に、制御手段の制御下で、この一番目の第１記録情報に論理的又は物理的に関連付けられている、例えば、一番目の第２記録情報は、例えば、連続的な再生動作に伴って再生不可能となる、即ち、再生されると同時に消去される。【００４４】
続いて、例えば、連続再生時又は次回のディスク挿入時には、判定手段の制御下で、例えば、トラックジャンプ又はスキャン等を実行する再生手段によって再生回数制限領域に記録された、例えば、一番目の第２記録情報の少量だけ、例えば、最小情報単位が再生不可能であることによって、一番目の第２記録情報が存在しないことが検知される。このことによって、再生専用領域に記録された、一番目の第１記録情報の再生が完了しているものとの判定が可能となる。【００４５】
更に、判定手段の制御下で、再生手段によって再生回数制限領域に記録された例えば、二番目の第２記録情報のうちの、例えば、最小情報単位が再生されると同時に消去可能であることによって、二番目の第２記録情報が存在することが検知される。このことによって、再生専用領域に記録された、例えば、第２ステージのコンテンツデータである二番目の第１記録情報の再生が未完了であるとの判定が可能となる。【００４６】
これらの判定結果に基づいて、再生手段によって、この第２ステージのコンテンツデータである二番目の第１記録情報の再生から開始すればよいことが分かる。以下同様に、例えば、第ＮステージのコンテンツデータであるＮ番目の第１記録情報まで再生処理が可能とされる。このように二番目の第２記録情報については、該第２記録情報のうち、例えば、一の最小情報単位に係る再生及び判定を行った後にも、他の最小情報単位は、なお消去されることなく、次回に再生可能な状態で記録されている。【００４７】
以上より、本発明の情報再生装置は、当該情報記録媒体の再生時において、各第１記録情報に関連付けられていると共に、各第１記録情報の再生が完了したか否かを示す２値化されたフラグとしての役割を果たす各第２記録情報の存在の有無を検出することが可能となる。よって、情報再生装置は、再生回数に制限をかけつつ、第１記録情報における再生が完了しているか否かを比較的容易に判定することが可能となる。従って、例えば、利用者が、どのレベル、又は、どのステージまでのコンテンツデータの再生が完了したかを確実に或いは簡単に判定することが可能である。【００４８】
本発明の情報再生装置に係る実施形態の一態様では、前記判定手段は、再生用レーザ光が前記再生回数制限領域における記録トラックを横切る方向に移動するよう前記再生手段を制御し、前記再生用レーザ光の移動する時間内において、前記再生手段から得られる再生信号に基づいて、前記第２記録情報の存在の有無を検知する。【００４９】
この態様によれば、判定手段の制御下で、再生手段は、例えば、ディスク状情報記録媒体の半径方向に移動しつつレーザ光を照射する。よって、判定手段は、この再生手段から得られる再生信号に基づいて、より簡単に第２記録情報の存在の有無を検知することが可能である。【００５０】
本発明の情報再生装置に係る実施形態の他の態様では、前記判定手段は、前記再生手段が移動する際に横切る前記記録トラックの個数に基づいて、前記第２記録情報の存在の有無を検知する。【００５１】
この態様によれば、判定手段は、再生手段が移動する際に横切る記録トラックの個数に基づいて、より高い精度で第２記録情報の存在の有無を検知することが可能となる。【００５２】
具体的には、判定手段の制御下で、再生手段が、再生回数制限領域において、例えば、再生用レーザをディスク状情報記録媒体の半径方向に照射することにより、記録トラックの個数が測定される。より具体的には、先ず、記録トラックは、例えば、第２記録情報に応じて、記録層の相変化によって形成される記録マークの列から構成されている。この記録トラックの接線方向に沿って再生用レーザを照射させるのではなく、例えば、記録トラックを垂直に横切る方向、即ち、ディスク状情報記録媒体の半径方向に再生用レーザを照射させることによって、再生回数制限領域における記録トラックの個数が測定される。尚、上述した記録トラックを垂直に横切る方向、即ち、ディスク状情報記録媒体の半径方向に再生用レーザが照射された再生回数制限領域の微小な領域に記録された少量の第２記録情報によって、前述した「最小情報単位」の一例が構成されている。そして、この記録トラックの個数の測定の度に少量の第２記録情報、即ち、最小情報単位が再生されると同時に消去される。【００５３】
この態様では、前記判定手段は、前記第２記録情報を所定の順番に再生するよう前記再生手段を制御し、前記再生手段から得られる再生信号に基づいて、前記第２記録情報の存在の有無を検知するように構成してもよい。【００５４】
このように構成すれば、例えば、第２記録情報のアドレスを示すセクタ番号の大きい方から小さい方へ向かう降順である所定の順番に、該第２記録情報を再生すると共に、消去すれば、的確且つ迅速に第２記録情報の存在の有無を検知することが可能となる。【００５５】
更に、この態様では、前記所定の順番は大きいアドレスから小さいアドレスへ向かう降順であるように構成してもよい。【００５６】
このように構成すれば、例えば、第２記録情報のアドレスを示すセクタ番号の大きい方から小さい方へ向かう降順である所定の順番に、該第２記録情報を再生すると共に、消去すれば、より的確且つ迅速に第２記録情報の存在の有無を検知することが可能となる。何故ならば、アドレスをサーチするときは目的とするアドレスより小さいアドレスをサーチし、それから通常再生して目的のアドレスを得るのが普通であるので、アドレスの大きい情報単位（例えば、１ＥＣＣブロック等）からアドレスの小さい情報単位へ向かう降順に再生すれば、かならず目的とするアドレスより小さいアドレスに記録された第２記録情報は消去されていないからである。仮に、逆にアドレスの小さい情報単位からアドレスの大きい情報単位へ向かう昇順に情報単位を検知（チェック）すると、その再生により第２記録情報が殆ど又は完全に消去されてしまう可能性があり、次回の検知（チェック）時にサーチができないという不具合が生じてしまう。【００５７】
本発明の情報再生装置に係る実施形態の他の態様では、前記判定手段は、前記再生が完了しているか否かを判定する場合に、前記第１記録情報の論理的な再生を行う順番で、前記第２記録情報の存在の有無を検知する。【００５８】
この態様によれば、例えば、ファイナルステージのコンテンツが記録されたＮ番目の第１記録情報からではなく、第１ステージのコンテンツが記録された一番目の第１記録情報から再生が完了しているか否かを判定する。即ち、第１ステージ、第２ステージ、…、ファイナルステージの順番に再生が完了しているか否かを判定する。これにより、例えば最後まで完了されることが無いファイナルステージのコンテンツが記録されたＮ番目の第１記録情報に対応する第２記録情報が、不用意に、最小情報単位ずつ消去され尽くすことを未然防止できる。【００５９】
（情報再生方法に係る実施形態）
以下、本発明の実施形態に係る情報再生方法について説明する。【００６０】
本発明の情報再生方法に係る実施形態は、上述した本発明の情報記録媒体に係る実施形態（但し、その各種態様を含む）に記録された前記第１及び第２記録情報を再生するための再生手段を備えた情報再生装置における情報再生方法であって、前記第１記録情報の再生後に、該第１記録情報に対応した前記第２記録情報を再生するように前記再生手段を制御する制御工程と、前記再生回数制限領域に記録されていた前記第２記録情報の存在の有無を検知し、前記第２記録情報に対応した前記第１記録情報の再生が完了しているか否かを判定する判定工程とを備える。【００６１】
本発明の情報再生方法に係る実施形態によれば、上述した本発明の情報記録装置に係る実施形態の場合と同様に、例えば、利用者が、情報記録媒体において、どのレベル、又は、どのステージまでのコンテンツデータの再生が完了したかを確実に或いは簡単に知ることが可能である。【００６２】
尚、本発明の情報記録方法に係る実施形態においても、上述した本発明の情報記録装置に係る実施形態についての各種態様と同様の態様を適宜採ることが可能である。【００６３】
本実施形態のこのような作用及び他の利得は次に説明する実施例から明らかにされる。【００６４】
以上説明したように、本発明の情報記録媒体に係る実施形態によれば、第１記録情報が再生不可能にならないように記録されている再生専用領域と、第２記録情報が再生不可能となるように記録されている再生回数制限領域とを有し、第２記録情報が第１記録情報に関連付けられているので、第２記録情報の存在の有無を検知するだけで、第１記録情報の再生が完了したか否かを判定することででき、当該情報記録媒体の全体について再生の進行状況を判定することが可能である。本発明の情報再生装置及び方法に係る実施形態によれば、再生手段、制御手段及び工程、並びに、判定手段及び工程を備えているので、第２記録情報の存在の有無を検知するだけで、第１記録情報の再生が完了したか否かを判定することででき、情報記録媒体の全体について再生の進行状況を判定することが可能である。【００６５】
特に、本発明の情報記録媒体に係る実施形態によれば、例えば、複数の第１記録情報が夫々再生動作に伴って再生不可能とならないように記録されている再生専用領域と、複数の第２記録情報が夫々所定回数の連続的な再生動作に伴って再生不可能となるように記録されている再生回数制限領域とを有する情報記録媒体であって、これら複数の第２記録情報は夫々、これら複数の第１記録情報のうち対応する一つに対して関連付けられていると共に、非連続的な再生動作によって再生且つ消去可能である最小情報単位を複数含んでいるので、第２記録情報の存在の有無を検知するだけで、第１記録情報の再生が完了したか否かを判定することででき、当該情報記録媒体の全体について再生の進行状況を判定することが可能である。加えて、本発明の情報記録媒体に係る実施形態の一態様では、例えば、これら複数の第２記録情報は夫々、再生回数制限領域の一部としてまとまった部分領域に記録されており、これら部分領域は夫々、再生専用領域によって相互から分断されているので、第２記録情報の存在の有無を検知するだけで、第１記録情報の再生が完了したか否かを比較的容易に判定することででき、当該情報記録媒体の全体について再生の進行状況を判定することが可能である。
【実施例】
【００６６】
（情報記録媒体）
次に図１から図６を参照して、本発明の情報記録媒体の実施例に係る光ディスクにおける記録領域の構造及び物理的特性について、詳細に説明する。【００６７】
先ず図１を参照して、本実施例に係る光ディスクの基本構造について説明する。ここに図１は、本発明の情報記録媒体の実施例に係る光ディスクの基本構造を示し、上側部分は複数の記録領域を有する光ディスクの概略平面図であり、これに対応付けられる下側部分は、その径方向における記録領域構造の図式的概念図である。【００６８】
図１に示すように、光ディスク１００は、例えば、ＤＶＤと同じく直径１２ｃｍ程度のディスク本体上の記録面に、センターホール１を中心として内周側から外周側に向けて、本実施例に係るリードインエリア１０１、データゾーン１０２及びリードアウトエリア１０３が設けられている。そして、各記録領域には、例えば、センターホール１を中心にスパイラル状或いは同心円状に、例えば、グルーブトラック及びランドトラック等のトラック１０が交互に設けられている。このトラック１０上には、データがＥＣＣブロック１１という単位で分割されて記録される。ＥＣＣブロック１１は、記録情報がエラー訂正可能なプリフォーマットアドレスによるデータ管理単位である。尚、本発明の光ディスク１００は、１層構造でなくてもよい。２層片面、即ち、デュアルレイヤー又は１層両面、即ち、ダブルサイドであってもよい。【００６９】
本実施例に係る光ディスクは、物理的特性の観点から分類した２種類の記録領域、より詳細には、再生回数制限領域１５０及び再生専用領域１６０を併せ持つハイブリッド型光ディスクとして構築されている。【００７０】
再生回数制限領域１５０においては、記録情報（即ち、本願発明に係る「第２記録情報」）が、例えば記録層の相変化による記録マークとして記録されており、一回又はある制限された複数回だけ再生用レーザの照射による記録情報の再生が可能である。それと同時に該一回又はある制限された複数回の再生用レーザの照射による再生によって記録情報が消去される。更に消去後に再び記録用レーザの照射による記録情報の再記録が可能である。【００７１】
他方で、再生専用領域１６０においては、記録情報（即ち、本願発明に係る「第１記録情報」）が、例えばエンボスピットとして記録されており、物理的に何度でも再生用レーザの照射による記録情報の再生が可能であるＲＯＭ型光ディスクとしての性質が有される。尚、再生回数制限領域１５０と再生専用領域１６０との配置については、例えば、ピット毎、ＥＣＣブロック毎といった極めて細かい単位で混在させてもよいし、例えば、光ディスク１００の内周側寄りと外周側寄りとのなど極めて粗い単位で混在させてもよい。【００７２】
以下に説明するように、映像情報や音楽情報等のコンテンツ情報を記録する領域は概ね再生専用領域１６０とされ、係るコンテンツ情報の再生を制御する情報を記録する領域の少なくとも一部分は再生回数制限領域１５０とされる。即ち、このような構成とすることで、所定回数の再生により再生不可能とされた光ディスク１００に対して、比較的小さい領域を占める再生回数制限領域１５０のみに情報を再記録すれば、再び、再生可能な状態に戻すことが可能となる。従って、リサイクルを容易とする上で有利である。但し、再生回数制限領域１５０が占める領域を広げることは任意であり、極端な場合には、再生専用領域１６０を殆ど又は完全に無くして、且つ殆ど又は完全に再生回数制限領域１５０ばかりとしてもよい。尚、本実施例に係る「記録マーク」とは、再生回数制限領域１５０において、再生回数が制限された記録情報（即ち、本発明に係る「第２記録情報」）を担持する記録マークの他に、再生回数制限領域１５０において、ＮＵＬＬデータ等の情報に意味を持たせない「ダミーの記録マーク」を含む趣旨である。【００７３】
次に図２を参照して、本発明の実施例に係る光ディスクの主に再生回数制限領域における記録層の物理的特性について説明する。この物理的特性は、より具体的には、再生回数制限領域の記録層において記録情報が記録された記録マークが再生用レーザの照射によって消去可能となる特性である。ここに、図２は、本発明の実施例に係る光ディスクの再生回数制限領域における記録層の再生パワー範囲、消去パワー範囲及び記録パワー範囲の一具体例を示したグラフ図である。図２において、縦軸は、レーザのパワーの値を、単位をｍＷ（ミリワット）として示し、横軸は、実施例に係る光ディスクのレーザの種類（図２中、左側から再生用、消去用及び記録用レーザ）を示す。【００７４】
本発明の実施例に係る光ディスクの記録層は、図２に示されるように、再生パワー範囲が原則として０．７ｍＷ以下となるように形成されている。更に、消去パワー範囲と再生パワー範囲とを重ねるために、再生パワー範囲が０．２ｍＷ以上であり且つ０．７ｍＷ以下となるように、記録層は形成されてもよい。記録層は、消去パワー範囲が、０．２ｍＷ以上であり且つ１．０ｍＷ以下となるように形成され、記録パワー範囲が、０．７ｍＷ以上であり且つ２．０ｍＷ以下となるように形成されている。【００７５】
このように、本発明の実施例に係る光ディスクは、その再生回数制限領域に関しては、例えば、ＤＶＤ−ＲＯＭ等の再生専用メディアを再生するときに推奨されている、再生パワー範囲と実施例に係る消去パワー範囲とが重なった範囲内にあるパワーを有するレーザを、再生用レーザとして照射することで再生を行えば、記録情報を再生すると同時に消去することが可能となる。尚、記録情報を１回から数回の再生によって、消去されるようにしてもよい。物理的特性の観点からは、再生用レーザが照射されることにより、記録層を、記録マークが形成され、反射率が低いアモルファス状態から、反射率がある程度高い結晶化状態へ相変化させることが可能となる。【００７６】
特に、再生パワー範囲と消去パワー範囲とが、例えば、５０％以上の割合で重なっていてもよい。また、消去パワー範囲が、再生パワー範囲を包含していてもよい。【００７７】
また例えば、市販のＤＶＤ−Ｒ／Ｗ等の書き換え型情報記録媒体、又は例えばＤＶＤ−Ｒ等の追記型情報記録媒体の記録層の記録パワー範囲と本実施例に係る光ディスクの記録層の記録パワー範囲は重なっていない。従って、市販されている書き換え型又は追記型情報記録媒体のライターによって本実施例に係る光ディスクに記録することはできない。このため、光ディスクの提供者が意図しないような、記録情報の再記録が行われ、制限をかけた筈の再生回数を超えた不正な再生を未然防止できる。他方で、光ディスクの回収者（例えば、提供者）は、図２に示した如き記録用レーザの照射によって記録情報を再記録することができ、光ディスクの再利用が可能となる。【００７８】
次に、図３を参照して本発明の実施例に係る光ディスクにおける再生専用領域の一例を構成するリーダブルエンボスエリア及び再生回数制限領域の詳細な物理構造について説明する。ここに、図３は本発明の実施例に係る光ディスクの一部を、光ディスクの記録面側から見た図式的拡大斜視図である。【００７９】
図３に示されるように、本実施例に係る光ディスク１００は、基板３２と、基板３２上に積層された上に、記録層３０、反射層３１及び保護層３３とを備えて構成されている。尚、これらの層の他、記録層３０の上部や下部に誘電体層等が配置されてもよいし、接着層等から構成される保護層３３の下層側にカバー基板等が貼り付けられてもよい。【００８０】
基板３２には、その表面全域（図３中、下側の表面全域）に、グルーブトラックＧ及びランドトラックＬがエンボス加工等により形成されている。リーダブルエンボスエリアＥＡ内におけるグルーブトラックＧ上には、エンボスピットＥＰ及びエンボススペースＥＳがエンボス加工により形成されている。他方で、再生回数制限領域１５０内におけるグルーブトラックＧ上には、記録マーク２０が記録層３０に形成されている。記録マーク２０は、記録用レーザを照射することで、相変化によるピット（相変化により黒くされたピット）として構成されている。反射層３１は、エンボス加工された基板３２に成膜された記録層３０上に直接又は不図示の誘電体層或いは絶縁膜を介して成膜された、例えばＡｌ（アルミニウム）膜等である。【００８１】
光ディスク１００は、再生回数制限領域１５０については、記録層３０を備えた相変化型ディスクの一種として構成されている。この記録層３０の一部に記録マーク２０が形成されることで、データが再生と共に消去可能に記録される。より詳細には、反射率の大きい結晶状態の記録層３０にレーザビームが照射され、部分的に記録層３０が融解されると共に、急速に冷やされる。このことにより、記録層３０が部分的にアモルファス状態にされることで、反射率を小さくさせることができる。このようにアモルファス状態にされた記録層３０の一部に記録マーク２０が形成される。他方、アモルファス状態の記録層３０にレーザビームが照射され、部分的に記録層３０が融解されると共に、ゆっくりと冷やされる。このことにより、記録層３０が結晶状態に戻されることで、反射率を大きく戻すことができる。即ち、データが消去可能となる。【００８２】
他方、光ディスク１００は、リーダブルエンボスエリアＥＡについては、記録層３０の存在とは無関係にエンボスピットＥＰを備えたＲＯＭ型ディスクの一種として構成されている。より具体的には、ポリカーボネート製の基板３２にはレーザ光等のビームを誘導するためのガイド用トラックとしてのグルーブトラックＧが形成されている。尚、この基板３２において、隣り合ったグルーブトラックＧとグルーブトラックＧとの間の領域をランドトラックＬと呼ぶ。グルーブトラックＧ及びランドトラックＬとの呼び名は、ベースとしての基板３２から見て凹部をグルーブトラックＧと呼び、凸部をランドトラックＬと呼んでいることを付記しておく。即ち、光ピックアップの側（即ち、図３中で上側）から見ると、グルーブ（溝）が凸状部に相当し、ランド（丘）が凹状部に相当する。【００８３】
このように本実施例では、光ディスク１００は、再生回数制限領域１５０については相変化型ディスクの一種として構成され且つ再生専用領域の一例であるリーダブルエンボスエリアＥＡについてはＲＯＭ型ディスクの一種として構成され、全体としてハイブリッド型ディスクとして構成されている。尚、本実施例では、リーダブルエンボスエリアＥＡにも、再生回数制限領域１５０と同一の記録層３０に形成されると共に、再生回数制限領域１５０と同一の記録膜が蒸着されていてもよい。このようにリーダブルエンボスエリアＥＡに形成された記録層３０については、相変化による情報の記録を行わないようにすれば、記録層３０の存在がエンボスピットＥＰの再生に対して悪影響を及ぼすことはない。逆に、このように記録層３０をリーダブルエンボスエリアＥＡにも形成するのであれば、基板３２の表面全域に記録層３０を成膜すれば、その後の部分的な記録層３０の除去や剥離等を行う必要もないので、製造上便利である。この場合でも再生時は一定光量の消去モードと等価なので、記録マーク２０が作られず、不具合はない。【００８４】
特に、図３においては便宜上図示していないが、光ディスク１００においては、好ましくは、グルーブトラックＧをディスクの回転速度に対応する周波数でウォブリングさせている。このウォブリングされたグルーブトラックＧは、後述されるランドプリピットと同様に、光ディスク１００を出荷する前に予め形成されるものである。そして、光ディスク１００に記録情報、即ち、プリ情報以外の本来記録するべき画像情報等の情報を記録する際には、後述される情報記録再生装置によってこのグルーブトラックＧのウォブリング周波数を抽出することにより光ディスク１００を所定の回転速度で回転制御するとよい。【００８５】
また特に、ランドトラックＬにはプリ情報に対応する図示しないランドプリピットが形成されていてもよい。このランドプリピットは一般に光ディスク１００を出荷する前に予め形成されているものである。また、このランドプリピットを検出することにより予めプリ情報を取得し、それに基づいて記録光としてのレーザ光の最適出力等が設定されると共に、記録情報を記録すべき光ディスク１００上の位置を示すアドレス情報等が取得され、このアドレス情報に基づいて記録情報が対応する記録位置に記録される。【００８６】
次に、図４から図６を参照して本発明の実施例に係る光ディスクにおける、再生回数制限領域及び再生専用領域等の記録領域の構造及びそれら記録領域に記録された情報及びデータについて説明する。ここに、図４は、本発明の実施例に係る光ディスクの記録領域の基本構造、再生専用領域及び再生回数制限領域を示した図式的構造図である。尚、図４中の左側が光ディスクの内周側であり、図４中の右側が光ディスクの外周側である。図５は、本発明の実施例に係る光ディスクの記録面におけるトラックカウントの方向を示した外観斜視図である。図６は、本発明の他の実施例にかかる再生回数制限領域に記録された第２記録情報の状態を示す概念図である。【００８７】
先ず、図４に示すように、光ディスク１００の記録領域には、その最も内周側にリードインエリア１０１が存在し、リードインエリア１０１の外周側に隣接してデータゾーン１０２が存在し、データゾーン１０２の外周側に隣接してリードアウトエリア１０３が存在する。【００８８】
リードインエリア１０１及びリードアウトエリア１０３には、データの記録及び再生を制御又は管理するための例えば、制御情報又は管理情報等の各種情報が記録される。ここに、本実施例に係る「データ」とは、再生又は実行の主たる対象となるデータをいい、例えば、画像データ、音声データ、文書データなどのコンテンツデータや、コンピュータプログラム用のデータなどである。制御情報は、データゾーン１０２への記録及び再生を制御する情報であり、例えば、情報記録媒体の属性や種類などを示す情報、データのアドレス管理をするための情報、例えばディスクドライブ等の情報記録再生装置の記録及び再生動作を制御するための情報などである。リードインエリア１０１内部の外周側には、コントロールデータエリア１０１Ａが設けられている。コントロールデータエリア１０１Ａは、データゾーン１０２への記録及び読取を制御する制御情報を記録するための領域である。【００８９】
データゾーン１０２には、前述したデータ又はユーザデータが記録される。データゾーン１０２はデータを記録するための主たる領域である。より具体的には、データゾーン１０２内部の内周側から外周側へ向けて、ファイル管理情報記録エリア１０２Ａ、第１データゾーン及び第１バンドゾーン、第２データゾーン及び第２バンドゾーン、…並びに、第Ｎデータゾーン及び第Ｎバンドゾーンが設けられている。ファイル管理情報記録エリア１０２Ａには、例えば、ファイルシステム若しくは、記録領域の論理又は物理プロックごとに記録又は未記録の状態を示すスペースビットマップ情報等が記録される。第１データゾーン及び第１バンドゾーン、第２データゾーン及び第２バンドゾーン、…、第Ｎデータゾーン及び第Ｎバンドゾーンについては後述される。【００９０】
以上説明した、情報記録媒体に記録される制御情報及び管理情報とデータとはそれらの内容に応じて常に明確に区別できるものではない。しかし、制御情報及び管理情報は主として例えばディスクドライブ等の情報記録再生装置の動作制御に直接的に用いられる情報であるのに対し、データは情報記録再生装置では主として単なる記録又は再生の対象となるだけのデータであり、主として例えばバックエンド又はホストコンピュータのデータ再生処理ないしプログラム実行処理において用いられるデータである。このような性質の違い等に応じて、データはデータゾーン１０２に記録され、制御情報及び管理情報は、リードインエリア１０１内部のコントロールデータエリア１０１Ａ、リードアウトエリア１０３、又はデータゾーン１０２内部のファイル管理情報記録エリア１０２Ａに記録される。【００９１】
先ず、データゾーン１０２内部のファイル管理情報記録エリア１０２Ａ、リードインエリア１０１及びリードアウトエリア１０３内部のすべての領域は、例えば、エンボスピットが形成された再生専用領域１６０として構成され、これらの領域には、本発明に係る「第１記録情報」の一例を構成するユーザデータ等が記録されている。【００９２】
次に、本実施例では特に、データゾーン１０２内部の第１バンドゾーン１５０−１から第Ｎバンドゾーン１５０−Ｎの領域は、例えば、記録マークが形成された再生回数制限領域１５０として構成されている。これらの第１バンドゾーン１５０−１から第Ｎバンドゾーン１５０−Ｎの領域には、本発明に係る「第２記録情報」の一例を構成する第１バンド５０−１から第Ｎバンド５０−Ｎ（但し、Ｎは２以上の自然数）が夫々、記録層における記録マークの形成により記録されている。第１バンド５０−１から第Ｎバンド５０−Ｎは、例えば、ＮＵＬＬデータ等の情報を持たないダミーの記録情報でもよい。或いは、例えば、文字、模様及び例えば、卒業証書やクリア画面等の画像情報のディスプレイにおける表示並びに音楽の再生のためのデータ記録情報でもよい。後者の場合、第１バンド５０−１から第Ｎバンド５０−Ｎは、例えば音楽が再生されると同時に消去されることができるので、時間の節約が可能となる。【００９３】
他方、データゾーン１０２内部の第１データゾーン１６０−１から第Ｎデータゾーン１６０−Ｎの領域は、例えば、エンボスピットが形成された再生専用領域１６０として構成されている。これらの第１データゾーン１６０−１から第Ｎデータゾーン１６０−Ｎの領域には、本発明に係る「第１記録情報」の一例を構成する第１データ６０−１から第Ｎデータ６０−Ｎがエンボスピットの形成により記録されている。これらの第１データ６０−１から第Ｎデータ６０−Ｎは、例えば、教育用コンテンツに応用された場合には、例えば、初級、中級、上級等の学習段階に合わせたコンテンツデータでもよい。或いは、家庭向けパソコン用のゲームが記録されているディスクに応用された場合には、例えば、第１、第２、…、第Ｎステージ等の階層レベルに対応するコンテンツデータでもよい。【００９４】
本実施例では、特に、これら第１バンドゾーン１５０−１から第Ｎバンドゾーン１５０−Ｎの領域に記録されている第１バンド５０−１から第Ｎバンド５０−Ｎは夫々、第１データ６０−１から第Ｎデータ６０−Ｎのうち対応する一つに対して論理的又は物理的に関連付けられている。ここに、論理的関連付けとは、再生及び記録に際して、例えば、データ（６０−１等）が記録されたデータゾーン（１６０−１等）と、これらのデータに対応するバンド（５０−１等）が記録されたバンドゾーン（１５０−１等）の領域とを、両方の領域に割り付けられた論理的なアドレスに基づいて関連付けることである。具体的には、例えば、第１データ６０−１から第Ｎデータ６０−Ｎの識別番号と、第１データゾーン１６０−１から第Ｎデータゾーン１６０−Ｎのアドレスとが登録されたテーブル等が、管理情報等に登録されている。他方、第１バンド５０−１から第Ｎバンド５０−Ｎの識別番号と、第１バンドゾーン１５０−１から第Ｎバンドゾーン１５０−Ｎのアドレスとが登録されたテーブル等が、同じ管理情報等に登録されている。よって、第１バンド５０−１から第Ｎバンド５０−Ｎは夫々、第１データ６０−１から第Ｎデータ６０−Ｎのうち対応する一つに対して論理的に関連付けることが可能となる。或いは、第１データゾーン１６０−１から第Ｎデータゾーン１６０−Ｎの識別番号と、それらの各アドレスとが登録されたテーブル等が、管理情報等に登録されている。他方、第１バンドゾーン１５０−１から第Ｎバンドゾーン１５０−Ｎの識別番号と、それらの各アドレスとが登録されたテーブル等が、管理情報等に登録されている。よって、第１バンド５０−１から第Ｎバンド５０−Ｎが記録された第１バンドゾーン１５０−１から第Ｎバンドゾーン１５０−Ｎは夫々、第１データ６０−１から第Ｎデータ６０−Ｎが記録された第１データゾーン１６０−１から第Ｎデータゾーン１６０−Ｎのうち対応する一つに対して論理的に関連付けることが可能となる。【００９５】
他方、ここに、物理的関連付けとは、再生及び記録に際して、複数のデータのうち一つが記録されたデータゾーンの領域と、このデータに対応するバンドが記録されたバンドゾーンの領域とを、記録領域の物理的な構造に基づいて関連付けることである。具体的には、第１データゾーン１６０−１の開始部の前又は終端部の後が第１バンドゾーン１５０−１とされており、第２データゾーン１６０−２の開始部の前又は終端部の後が第２バンドゾーン１５０−２とされており、第Ｎデータゾーン１６０−Nの開始部の前又は終端部の後が第Ｎバンドゾーン１５０−Nとされているという具合に、一定規約に従って、バンドゾーンを特定すれば、これに物理的に対応するデータゾーンが特定可能できることになる。よって、第１バンド５０−１から第Ｎバンド５０−Ｎは夫々、第１データ６０−１から第Ｎデータ６０−Ｎのうち対応する一つに対して物理的に関連付けることが可能となる。【００９６】
上述した論理的又は物理的関連付けのいずれの場合にせよ、複数のバンドのうちの一つのバンド、例えば、第１バンドが、複数のデータのうちのどの一つのデータ、例えば、第１データに関連付けられているかは、例えば管理情報内や情報記録装置のメモリ内に登録されており、例えば、第１データの再生時には、既知とされる。【００９７】
更に本実施例では特に、複数のバンド（５０−１等）は夫々、非連続的な再生動作によって再生且つ消去可能である最小情報単位を複数含む。ここで、「非連続的な再生動作」とは、再生用レーザ光がトラックを垂直に横切る方向に移動しながら再生する動作のことをいう。また、「最小情報単位」とは、再生且つ消去可能である複数のバンド（５０−１等）の小量な大きさの構成単位を指す。より具体的には、図５に示されるように、トラックの接線方向に沿って再生用レーザを照射させるのではなく、トラックを垂直に横切る方向、即ち、光ディスク１００の半径方向に再生用レーザが照射される、例えば、第１バンドゾーン１５０−１の微小な領域に記録された少量の第１バンド５０−１である。そして、本発明に係る「記録トラックの個数」の測定の度にこの最小情報単位が再生されると同時に消去される。【００９８】
以上のように構成されているため当該情報記録媒体の再生時には、複数のデータ（６０−１等）のうち一つの再生が完了すると、このデータに対して関連付けられているバンド（５０−１等）は、連続的な再生動作に伴って再生不可能となる、即ち、再生されると同時に消去される。例えば、家庭向けパソコン用のゲームの第１ステージのコンテンツデータである第１データゾーンに記録された第１データ６０−１の再生が完了した場合には、この第１データ６０−１に論理的又は物理的に関連付けられた、第１バンドゾーンに記録された第１バンド５０−１が、連続的な再生動作に伴って再生不可能とされる。【００９９】
ここで特に第１バンド５０−１は、非連続的な再生動作によって再生且つ消去可能である最小情報単位を複数含むので、連続再生時又は次回のディスク挿入時には、トラックジャンプ又はスキャン等の非連続的な再生動作によって、例えば、第１バンドゾーン１５０−１に記録された第１バンド５０−１の少量だけ、即ち、最小情報単位が再生不可能であることによって、第１バンド５０−１が存在しないことが検知される。このことによって、例えば、第１ステージのコンテンツデータである第１データ６０−１の再生が完了しているものとの判定が可能となる。【０１００】
更に、例えば、トラックジャンプ等の非連続的な再生動作によって第２バンドゾーン１５０−２に記録された第２バンド５０−２の最小情報単位が再生されることによって、第２バンド５０−２が存在することが検知される。このことによって、第２データゾーン１６０−２の領域に記録された、例えば、第２ステージのコンテンツデータである第２データ６０−２の再生が未完了であるとの判定が可能となる。【０１０１】
そこで、この例えば、第２ステージのコンテンツデータである第２データ６０−２の再生から開始すればよいことが分かる。以下同様に、例えば、第Ｎステージのコンテンツデータである第Ｎデータ６０−Ｎまで再生処理が可能とされる。【０１０２】
以上のように、光ディスク１００の再生時において検出される第１バンド５０−１から第Ｎバンド５０−Ｎの存在の有無は、第１データ６０−１から第Ｎデータ６０−Ｎの再生が完了したか否かを示す２値化されたフラグとしての役割を果たす。よって、再生回数に制限をかけつつ、第１データ６０−１から第Ｎデータ６０−Ｎにおける再生が完了しているか否かを、情報再生装置において比較的容易に検出或いは判定することが可能となる。従って、例えば、利用者が、どのレベル、又は、どのステージまでのコンテンツデータの再生が完了したかを確実に或いは簡単に判定することが可能である。【０１０３】
また、本実施例では、特に、第１データ６０−１から第Ｎデータ６０−Ｎが記録された第１データゾーン１６０−１から第Ｎデータゾーン１６０−Ｎ並びに第１バンド５０−１から第Ｎバンド５０−Ｎが記録された第１バンドゾーン１５０−１から第Ｎバンドゾーン１５０−Ｎは、基本的には、第１データ６０−１から第Ｎデータ６０−Ｎの再生の順番に従って、例えば、光ピックアップ等の動作における時間的空間的局所性に基づいて内周側から外周側へと交互に配置されてもよい。従って、未完了である可能性が、当該光ディスク１００の再生完了の最後まで高い第Ｎデータ６０−Ｎに近いデータほど、ステージが完了しているか否かのトラックジャンプによる再生用レーザ光の照射の機会は少なくなる。このため、未完了である可能性が最後まで高い第Ｎデータ６０−Ｎ及び第Ｎバンド５０−Ｎやこれに近いデータに対して、不必要に再生用レーザ光を照射することで、当該光ディスク１００の再生完了前に、第Ｎデータ６０−Ｎ及び第Ｎバンド５０−Ｎやこれに近いデータがフラグとして利用し尽くされる事態を未然防止できる。但し、第１データ６０−１から第Ｎデータ６０−Ｎの用途や目的に応じて任意に配置することができる。【０１０４】
加えて本実施例によれば、相対的に大量のデータ（６０−１等）についてはそのまま維持されているので、一旦再生の完了を判定し、再生が不可能とされた後に，回収者等により、相対的に少量のバンド（５０−１等）を再び記録するだけで、再び通常の光ディスクプレーヤや光ディスクレコーダなどによって、光ディスク１００に記録されたコンテンツデータ等の第１データ６０−１から第Ｎデータ６０−Ｎを正常に階層レベルごとに再生することが可能となり、非常に効率良く当該情報記録媒体の全体について再利用可能となる。【０１０５】
また、本実施例では、第１バンドゾーン１５０−１から第Ｎバンドゾーン１５０−Ｎにおいては複数回記録が行われるという性質を鑑みるとグルーブがあったほうが好ましい。他方、本実施例では、第１バンドゾーン１５０−１から第Ｎバンドゾーン１５０−Ｎは、例えば１０トラック等であるので、不連続のある程度小さなデータ量が記録されることを鑑みるとグルーブはないほうが好ましい。【０１０６】
尚、本実施例では、例えば、後述される光ピックアップ等の再生手段、及び、例えばＣＰＵ等の判定手段によって、非連続的な再生動作で再生回数制限領域１５０に記録された、例えば、第１バンド５０−１等の第２記録情報の存在の有無を検知（チェック）するようにしたが、図６に示されるように、第２記録情報を例えば、セクタ番号等のアドレスの大きい情報単位（例えば１ＥＣＣブロック）からアドレスの小さい情報単位へ向かう降順に再生し、その再生信号に基づき、第２記録情報の存在の有無を検知することができる。より詳細には、最初の第２情報単位の検知（チェック）時には、図６中の“丸印（１）”で示された情報単位にサーチして第２記録情報の存在の有無を検知し、その次に第２情報単位を検知（チェック）する際には、図６中の“丸印（２）”で示された情報単位にサーチして第２記録情報の存在の有無を検知するのが望ましい。その理由としては、アドレスをサーチするときは目的とするアドレスより小さいアドレスをサーチし、それから通常再生して目的のアドレスを得るのが普通であるので、アドレスの大きい情報単位からアドレスの小さい情報単位へ向かう降順に再生すれば、かならず目的とするアドレスより小さいアドレスに記録された第２記録情報は消去されていないからである。仮に、逆にアドレスの小さい情報単位からアドレスの大きい情報単位へ向かう昇順に情報単位を検知（チェック）すると、その再生により第２記録情報が殆ど又は完全に消去されてしまう可能性があり、次回の検知（チェック）時にサーチができないという不具合が生じてしまう。【０１０７】
（情報再生装置）
次に図７を参照して、本発明の実施例に係る光ディスクの情報再生装置について説明する。ここに、図７は本発明の実施例に係る光ディスクの情報再生装置の全体構成を示すブロック図である。【０１０８】
情報再生装置２００は、光ディスク１００、本発明に係る「再生手段」の一例を構成する光ピックアップ２０２、スピンドルモータ２０３、ヘッドアンプ２０４、総和生成回路２１０、ピットデータ復調回路２１１、ピットデータ訂正回路２１２、バッファ２１３、インターフェース２１４、プッシュプル信号生成回路２２０、ローパスフィルタ２２１、サーボユニット２２２、及び、本発明に係る「制御手段」及び「判定手段」の一例を構成するＣＰＵ（Central Processing Unit）３００を備えて構成されている。【０１０９】
光ディスク１００には、第１クロック信号ＣＫ１に同期したピットデータＤＰが記録マーク２０の長短によって記録されている。ＲＦ再生信号成分の第１クロック信号ＣＫ１は、前述の光ディスク１００の各種実施例で説明したように、ウォブリング又はアンリーダブルエンボス等に応じて、ほぼ一定周期で変動する光ディスク１００のＲＦ再生信号成分から、当該情報再生装置２００により生成可能な信号であり、本実施例では、ピットデータ復調回路２１１により生成される。尚、本実施例では、記録マーク２０はピットとも解釈でき、トラックはこのピット列によって構成される。【０１１０】
情報再生装置２００は、より具体的には、光ディスク１００に対して再生ビームを照射するとともに反射光に応じた信号を出力する光ピックアップ２０２と、光ディスク１００の回転を制御するスピンドルモータ２０３と、サーボユニット２２２を備える。サーボユニット２２２には、第１クロック信号ＣＫ１及びピット同期信号ＳＹＮＣｐが供給される。サーボユニット２２２は、これらの信号に同期して、スピンドルモータ２０３の回転を制御するスピンドルサーボ、光ピックアップ２０２の光ディスク１００に対する相対的位置制御であるフォーカスサーボ及びトラッキングサーボを実行する。【０１１１】
光ピックアップ２０２は、再生ビームを照射するレーザーダイオード、図示しない４分割検出回路を備える。４分割検出回路は、再生ビームの反射光を図７の上方に示す領域１Ａ、１Ｂ、１Ｃ、１Ｄに４分割し、各領域の光量に応じた信号を各々出力する。ヘッドアンプ２０４は、光ピックアップ２０２の各出力信号を各々増幅し、領域１Ａに対応する分割読取信号１ａ、領域１Ｂに対応する分割読取信号１ｂ、領域１Ｃに対応する分割読取信号１ｃ、及び領域１Ｄに対応する分割読取信号１ｄを出力する。【０１１２】
総和生成回路２１０は、分割読取信号１ａ、１ｂ、１ｃ、及び１ｄを加算して、総和読取信号ＳＲＦを出力する加算回路からなる。なお、総和読取信号ＳＲＦは、記録マークの長短を表す信号である。【０１１３】
ピットデータ復調回路２１１は、総和読取信号ＳＲＦに基づいてピットデータＤＰを再生すると共に第１クロック信号ＣＫ１を生成する。より具体的にはピットデータ復調回路２１１は、ピット同期信号ＳＹＮＣｐを基準位置として、再生されたピットデータＤＰを所定のテーブルを用いて復調して再生データを生成する。例えば、変調方式としてＥＦＭ変調が採用される場合には、１４ビットのピットデータＤＰを８ビットの再生データに変換する処理が施される。そして、再生データの順序を予め定められた規則に従って並べ換えるデスクランブル処理が実行されて、処理済の再生データが出力される。【０１１４】
このようにして得られた再生データは、ピットデータ訂正回路２１２へ供給され、そこで、エラー訂正処理や補間処理等が施された後、バッファ２１３に記憶される。インターフェース２１４はバッファ２１３に記憶されたデータを順次読み出して所定の出力形式に変換して外部機器へ出力する。【０１１５】
プッシュプル信号生成回路２２０は、（１ａ＋１ｄ）−（１ｂ＋１ｃ）を算出して、プッシュプル信号を生成する。成分（１ａ＋１ｄ）は、読取方向に対して左側の領域１Ａ及び１Ｄに対応する一方、成分（１ｂ＋１ｃ）は、読取方向に対して右側の領域１Ｂ及び１Ｃに対応する。プッシュプル信号の値は再生ビームとピットの相対的な位置関係を表している。【０１１６】
プッシュプル信号はローパスフィルタ２２１を介してサーボユニット２２２へ出力される。サーボユニット２２２は、プッシュプル信号に基づいてトラッキング制御を実行する。【０１１７】
ＣＰＵ３００は、図示しないバス等を介して接続され、各回路又は手段等に指示を行うことで、情報再生装置２００全体の制御を行う。通常、ＣＰＵ３００が動作するためのソフトウェアは、図示しないメモリ等に格納されている。【０１１８】
（情報再生装置による再生動作の流れ）
次に図８を参照して、本発明の実施例に係る光ディスクの情報再生装置による再生動作の流れについて詳細に説明する。【０１１９】
先ず、図８を参照して本発明の実施例に係る光ディスクの再生処理の流れについて説明する。ここに、図８は本発明の実施例に係る情報再生装置による光ディスクの再生動作を示したフローチャート図である。【０１２０】
先ず、図８に示されるように、情報再生装置において、プレイモードになると、ＣＤ、ＤＶＤ−Ｖｉｄｅｏ、ＤＶＤ−ＲＯＭ、ＤＶＤ−Ｒ又はＤＶＤ−ＲＷ等の光ディスクの種類が判別される（ステップＳ１００）。尚、ここでは、ＤＶＤフォーマット（ビデオ）の本発明の実施例に係る光ディスクが挿入されていると仮定する。【０１２１】
次に、記録情報等を認識することが可能であるかどうかが判定される（ステップＳ１１０）。ここで、記録情報等を認識することが可能な場合（ステップＳ１１０：Ｙｅｓ）、コントロールデータが読み込まれ、再生動作に必要な基本情報が読み込まれる（ステップＳ１２０）。【０１２２】
他方、ステップＳ１１０の判定の結果、記録情報等を認識することが可能でない場合（ステップＳ１１０：Ｎｏ）、情報再生装置による再生動作は終了する。【０１２３】
続いて、ファイルシステムがファイル管理情報記録エリアから読み込まれる（ステップＳ１３０）。【０１２４】
続いて、変数“ｎ”に“１”が代入される（ステップＳ１４０）。【０１２５】
次に、変数“ｎ”は定数“Ｎ”より大きいか否かが判定される（ステップＳ１５０）但し定数“Ｎ”は自然数とする。ここで、変数“ｎ”は定数“Ｎ”より大きくない場合、即ち、変数“ｎ”は定数“Ｎ”と等しいか又は小さい場合には（ステップＳ１５０：Ｎｏ）、トラックの個数の測定（以下適宜、トラックカウント（ＴＣ：Track Count）と称する。）により、第１バンドゾーンに第１バンドが記録されているか否か、即ち、第１バンドゾーンに記録されたトラックの個数が所定数だけ存在するか否かが検知される（ステップＳ１６０）。ここで、所定数のトラックが存在した場合（ステップＳ１６０：Ｙｅｓ）、第１バンドゾーンに第１バンドが記録されているので、第１バンドに論理的又は物理的に関連付けられた第１データの再生が完了していないことを意味するので、第１データを再生すべきか否かが判定される（ステップＳ１７０）。具体的には、家庭向けパソコン用のゲームが記録されているディスクに応用された場合には、第１ステージの階層レベルに対応するコンテンツデータである第１データを再生すべきかが判定される。ここで、第１データを再生すべき場合（ステップＳ１７０：Ｙｅｓ）、第１データの再生が開始される（ステップＳ１８０）。【０１２６】
続いて、第１データの再生が完了したか否かが判定される（ステップＳ１９０）。ここで、第１データの再生が完了した場合（ステップＳ１９０：Ｙｅｓ）、第１データに論理的又は物理的に関連付けられた第１バンドゾーンに記録された第１バンドが再生されると同時に消去される（ステップＳ２００）。【０１２７】
他方、ステップＳ１７０の判定の結果、第１データを再生すべきでない場合（ステップＳ１７０：Ｎｏ）、ステップＳ１９０の判定の結果、第１データの再生が完了していない場合（ステップＳ１９０：Ｎｏ）、並びに、ステップＳ２００の第１バンドが再生されると同時に消去された場合、ディスクを排出すべきか否かが判定される（ステップＳ２１０）。ここで、ディスクを排出すべきである場合（ステップＳ２１０：Ｙｅｓ）、情報再生装置による一連の再生動作は終了する。【０１２８】
以下、ｎ＝“２”から“Ｎ”までのループ、即ち、繰り返し処理である。【０１２９】
即ち、所定数のトラックが存在しない場合（ステップＳ１６０：Ｎｏ）、次のバンドに対して、トラックカウントを行うために、変数“ｎ”は“１”だけ加算、インクリメントされる（ステップＳ２２０）。例えば、第１バンドに所定数のトラックが存在しない場合、第１バンドゾーンに第１バンドが記録されていないので、第１バンドに論理的又は物理的に関連付けられた第１データの再生が完了していることを意味するので、次の第２バンドに対して、トラックカウントを行うために、変数“ｎ”は“１”だけ加算、インクリメントされ、ｎ＝１＋１＝２となる（ステップＳ２２０）。【０１３０】
同様に、ディスクを排出すべきでない場合も（ステップＳ２１０：Ｎｏ）、次のバンドに対して、トラックカウントを行うために、変数“ｎ”は“１”だけ加算、インクリメントされる（ステップＳ２２０）。【０１３１】
次に、変数“ｎ”が定数“Ｎ”より大きくなるか否かが判定される（ステップＳ１５０）。ここで、変数“ｎ”が定数“Ｎ”より大きくならない場合（ステップＳ１５０：Ｎｏ）、ステップＳ１６０以降の処理が繰り返し行われる。【０１３２】
他方、変数“ｎ”が定数“Ｎ”より大きくなる場合（ステップＳ１５０：Ｙｅｓ）、情報再生装置による一連の再生動作は終了する。【０１３３】
本発明は、上述した実施例に限られるものではなく、請求の範囲及び明細書全体から読み取れる発明の要旨或いは思想に反しない範囲で適宜変更可能であり、そのような変更を伴う情報記録媒体、情報再生装置及び方法もまた本発明の技術的範囲に含まれるものである。
【産業上の利用可能性】
【０１３４】
本発明に係る情報記録媒体、情報再生装置及び方法は、例えばレーザ光を照射することによって記録及び再生可能な光ディスク等の情報記録媒体、並びにこのような情報記録媒体を再生するための情報再生装置及び方法等に利用可能である。
【図１】
2005076261.tif 000002
【図２】
2005076261.tif 000003
【図３】
2005076261.tif 000004
【図４】
2005076261.tif 000005
【図５】
2005076261.tif 000006
【図６】
2005076261.tif 000007
【図７】
2005076261.tif 000008
【図８】
2005076261.tif 000009
【手続補正書】
【提出日】平成18年8月7日(2006.8.7)
【手続補正１】
【補正対象書類名】特許請求の範囲
【補正対象項目名】全文
【補正方法】変更
【補正の内容】
【特許請求の範囲】
【請求項１】
第１記録情報が再生動作に伴って再生不可能にならないように記録されている再生専用領域と、第２記録情報が所定回数の再生動作に伴って再生不可能となるように記録されている再生回数制限領域とを有する情報記録媒体であって、
前記第２記録情報が前記第１記録情報に関連付けられており、前記第２記録情報と前記第１記録情報との関連付けを示す情報が、前記再生専用領域に記録されていることを特徴とする情報記録媒体。
【請求項２】
前記第２記録情報は、前記第１記録情報の再生後に再生されるコンテンツ情報を含むことを特徴とする請求項１に記載の情報記録媒体。
【請求項３】
請求項１に記載の情報記録媒体に記録された前記第１及び第２記録情報を再生するための情報再生装置であって、
前記第１及び第２記録情報を再生するための再生手段と、
前記第１記録情報の再生後に、該第１記録情報に対応した前記第２記録情報を再生するように前記再生手段を制御する制御手段と、
前記再生回数制限領域に記録されていた前記第２記録情報の存在の有無を検知し、前記第２記録情報に対応した前記第１記録情報の再生が完了しているか否かを判定する判定手段と
を備えたことを特徴とする情報再生装置。 
【請求項４】
前記判定手段は、再生用レーザ光が前記再生回数制限領域における記録トラックを横切る方向に移動するよう前記再生手段を制御し、前記再生用レーザ光の移動する時間内において、前記再生手段から得られる再生信号に基づいて、前記第２記録情報の存在の有無を検知することを特徴とする請求項３に記載の情報再生装置。
【請求項５】
前記判定手段は、前記再生手段が移動する際に横切る前記記録トラックの個数に基づいて、前記第２記録情報の存在の有無を検知することを特徴とする請求項４に記載の情報再生装置。
【請求項６】
前記判定手段は、前記第２記録情報を所定の順番に再生するよう前記再生手段を制御し、前記再生手段から得られる再生信号に基づいて、前記第２記録情報の存在の有無を検知することを特徴とする請求項３に記載の情報再生装置。
【請求項７】
前記所定の順番は大きいアドレスから小さいアドレスへ向かう降順であることを特徴とする請求項６に記載の情報再生装置。
【請求項８】
前記判定手段は、前記再生が完了しているか否かを判定する場合に、前記第１記録情報の論理的な再生を行う順番で、前記第２記録情報の存在の有無を検知することを特徴とする請求項３に記載の情報再生装置。
【請求項９】
請求項１に記載の情報記録媒体に記録された前記第１及び第２記録情報を再生するための再生手段を備えた情報再生装置における情報再生方法であって、
前記第１記録情報の再生後に、該第１記録情報に対応した前記第２記録情報を再生するように前記再生手段を制御する制御工程と、
前記再生回数制限領域に記録されていた前記第２記録情報の存在の有無を検知し、前記第２記録情報に対応した前記第１記録情報の再生が完了しているか否かを判定する判定工程と
を備えたことを特徴とする情報再生方法。
【請求項１０】
前記再生回数制限領域を複数だけ備えており、該複数の再生回数制限領域の間には前記再生専用領域が配置されていることを特徴とする請求項１に記載の情報記録媒体。
【国際調査報告】
2005076261.tif 000010
2005076261.tif 000011